(57)【要約】      （修正有）【課題】経済的で、作業効率を向上するフェルティング用マットを提供する。【解決手段】発泡樹脂板よりなる比較的厚手のマット本体１と、該マット本体に比し薄く、かつ柔軟性に富む発泡樹脂シート材よりなるマットカバー２との対からなることを特徴とする。マットカバーの発泡樹脂材はマットと同じ樹脂材であっても異なる樹脂であってもよい。【選択図】図１
0003151718.tif 000002
【実用新案登録請求の範囲】
【請求項１】
発泡樹脂板よりなる比較的厚手のマット本体と、該マット本体に比し、薄くかつ柔軟性に富む発泡樹脂シート材よりなるマットカバーとの対よりなり、厚手のマット本体上にマットカバーを置いてニードルを突き刺しフェルティングするようにしたことを特徴とするフェルティング用マット。
【請求項２】
マット本体とマットカバーの発泡樹脂材が発泡ポリエチレン，発泡ポリスチロール，発泡ポリウレタンより選ばれた樹脂材である請求項１記載のフェルティング用マット。
【請求項３】
マット本体とマットカバーの発泡樹脂材が同質又は異質の樹脂材である請求項１記載のフェルティング用マット。
【請求項４】
マット本体の厚さが１５〜２５ｍｍであり、マットカバーの厚さが２〜４ｍｍである請求項１，２または３記載のフェルティング用マット。
【考案の詳細な説明】
【技術分野】
【０００１】
本考案はフェルティングニードルを使って羊毛をフェルトするときに用いるフェルティング用マットに関するものである。
【背景技術】
【０００２】
従来、手芸分野においてテーブル１３上に布地１２をのせてフェルト片１５を重ね、ニードル１４を用いて突き刺してアップリケを施す場合に、図３に示すようにニードル１４の先端がテーブルの表面に当たって破損したり布地の保護が不安定となるのを防ぐため発泡スチロールを支持マット１１として利用し、この上に布地を載せることが行われていた。（例えば特許文献１［０００４］参照）
近時、上記の延長としてフェルティングニードルを使ってまとまった羊毛をテーブル上にのせてフェルト化し種々の小物作品を形成することが行われ、フェルト化やニードルの折損防止や折損したニードルの飛散防止のため発泡ポリエチレン等からなるフェルティングマットが必需品として使用されている。
【先行技術文献】
【特許文献】
【０００３】
【特許文献１】実用新案登録第３０３５５３４号公報
【考案の概要】
【考案が解決しようとする課題】
【０００４】
しかし、上記のフェルティングマットは同じ個所を何度も刺していると、その部分がへたってしまい、フェルト化の作業を行う場合に適度な弾力が必要なため、きれいなフェルト化が出来なくなる。そこで、沢山の作品を作る場合、常にへたりのない綺麗な個所を探しながら作業する個所を変える必要があった。また綺麗な個所がなくなると、そのマットを廃棄して新しいマットと取り替えるが、１点あたりの作品を作るのに３時間前後も刺し続けることがあるため、意外と早く使えなくなり、不経済かつゴミを出すため環境の面でも問題があった。
【０００５】
更に、マット上で作業を続けると、羊毛がマットに入り込んで取れなくなることがあり、その後に別の色の羊毛で作業をすると、マット上に残った前の色が作品に付くことになる。特に濃色の羊毛が付くと目立つためにその都度、取り除かなければならず、作業効率が低下する。
【０００６】
本考案は上述の如き実状に対処し、特にマットより割安なマットカバーの併用を見出すことによりマット自体のへたりを少なくし、かつマットカバーのみの取り替えによってマット自体の長期使用を可能とし、経済的で作業効率を向上せしめることを目的とするものである。
【課題を解決するための手段】
【０００７】
即ち、上記目的に適合する本考案は、発泡樹脂板よりなる比較的厚手のマット本体と、該マット本体に比し薄く、かつ柔軟性に富む発泡樹脂シート材よりなるマットカバーとの対からなり、厚手のマット本体上にマットカバーを置いてニードルを突き刺しフェルト化せしめるフェルティング用マットにある。ここで、マットとマットカバーの発泡樹脂材は、発泡ポリエチレン，発泡ポリスチレン，発泡ポリウレタンから選ばれた１種又は２種であり、両者は同質樹脂であってもよく、また異質の樹脂を用いてもよい。なお、具体的にマットとマットカバーの好ましい厚さは、マットは１５〜２５ｍｍ，マットカバーは２〜４ｍｍ程度である。勿論、前記厚さは好ましい厚さで、これに拘束されるものではない。
【考案の効果】
【０００８】
本考案は上記の如く発泡樹脂材よりなる比較的厚手のマット本体と、該マット本体の上に置いて作業する該マット本体に比し比較的薄く、かつ柔軟性に富む発泡樹脂材よりなるマットカバーとの両者の対によって構成されているため、マット本体がへたってもマット本体上にマットカバーをおいて作業することで適度の弾力を保持して、きれいな作品を作ることができると共に、マットカバーの価格は当然、マット本体よりも割安なので従来の如くマットがへたる度にマット交換をするよりも経済的で、ゴミも少なく、環境負担にもなり難い効果を有している。また、作業にあたりマットに入り込んだ羊毛を気にすることもなく作業できるので作業効率も上がる利点もある。
【０００９】
結局、全体として本考案は、従来はマット自体を消耗品として、へたったり羊毛が入り込んだりしたら廃棄していたが、マットカバーを併用することによりマット本体は以前より長期間の使用ができ、割安なマットカバーを取り替えることによって作業効率も上がり、経済的で環境にやさしい効果を達成することができる。
【図面の簡単な説明】
【００１０】
【図１】本考案に係るマットの外観概要斜視図である。
【図２】本考案マットの使用態様を示す説明図である。
【図３】従来のマット使用の手芸態様を示す図である。
【考案を実施するための形態】
【００１１】
以下、更に添付図面に基づいて本考案の具体的態様を説明する。図１は本考案マットの概要図であり、図において１はマット本体、２は該マット本体上に置いて用いられるマットカバーであり、本考案はこれらマット本体１とマットカバー２を対とすることによって構成されている。
【００１２】
ここで、上記マット本体１及びマットカバー２は、大きさは同一であってもよいが、マットカバー２を稍、小さく形成してもよく、またマットカバー２をマット１の上に重ね置くにあたっては、特に固定する必要はないが仮止めしておくことが位置ずれを起こさないため好適であり、これらは何れも発泡ポリエチレン，発泡ポリスチレン，泡ポリウレタン等の発泡樹脂材によって構成され、マット本体１は比較的厚く、好ましくは１５〜２５ｍｍの厚さで硬く、一方、マットカバー２は上記マット本体１に比較して薄く、かつ柔軟性を有して、好ましくは２〜４ｍｍの厚さで形成される。しかし、勿論、上記厚さに限定されるものではない。
【００１３】
また、上記マット本体１及びマットカバー２は上記の如く発泡樹脂材で構成されるが、この場合、同質の、即ち、同じ合成樹脂材同志であることが好ましいが必らずしもこれに拘泥することなく異質の、例えば発泡ポリエチレンと発泡ポリスチレンよりなる異なる発泡樹脂材によるマット本体，マットカバーとしてもよい。
【００１４】
図２は上記本考案のカバーを含むマットを使用してフェルト化を行っている状態を示しており、不要な雑誌等よりなる下敷マットやテーブル３の上に本考案のマット本体１を置き、その上にマットカバー２を重ねてまとめた羊毛，毛糸等の材料Ｍをこの上に載せ、フェルティングニードル４により突き刺してフェルト化を行っている。この場合、マットカバー２の上に直接まとめた羊毛，毛糸等の材料Ｍを置いているが、アップリケを施す場合にはマットカバー２の上に更に羊毛シート，ニット地等の布地を置いて、その上に羊毛，毛糸等の材料を置いてアップリケを施してもよい。
【００１５】
かくして上記本考案カバーを含むマットを使用することにより、マットに羊毛等が入り込むことを心配することなく、しかも適度な弾力を得てきれいな作品を作ることができる。
【符号の説明】
【００１６】
１：マット本体
２：マットカバー
Ｍ：まとめた羊毛等の材料
【図１】
0003151718.tif 000003
【図２】
0003151718.tif 000004
【図３】
0003151718.tif 000005